(57)【特許請求の範囲】
【請求項１】
電解水生成装置により水道水から生成された強アルカリ性電解水と強酸性電解水とを、ケーシング内で混合してＰＨ濃度が調整された混合水を調製する電解水の混合装置において、
前記ケーシングには、
前記ケーシングの外部に向けて開口し前記電解水生成装置から前記強アルカリ性電解水が供給される第１の供給口と、
該第１の供給口とは異なる位置で前記ケーシングの外部に向けて開口し前記電解水生成装置から前記強酸性電解水が供給される第２の供給口と、
前記第１の供給口から供給された前記強アルカリ性電解水を前記強酸性電解水と混合させることなく、前記ケーシング外に排出させる排出管路と、
前記強アルカリ性電解水を前記強酸性電解水と混合させるための混合管路と、
前記第１の供給口からケーシング内に供給された前記強アルカリ性電解水を前記混合管路と前記排出管路とのいずれか一方に選択的に流通させる方向切換弁と、
前記第１，第２の供給口から離間して設けられ、前記第１の供給口からケーシング内に導かれた前記強アルカリ性電解水を前記排出管路を介して前記ケーシング外に排出する第１の排出口と、
該第１の排出口および前記第１，第２の供給口から離間して設けられ、前記第２の供給口からケーシング内に導かれた前記強酸性電解水または前記強アルカリ性電解水と強酸性電解水との混合水をケーシング外に排出する第２の排出口と、
前記方向切換弁の操作により前記混合管路内に流通される前記強アルカリ性電解水の流量を可変に調整し前記強アルカリ性電解水と前記強酸性電解水との混合割合を調節する流量調整弁と、
前記流量調整弁よりも上流側で前記混合管路から分岐し、前記第１の供給口から前記方向切換弁を介して前記混合管路に導かれる前記強アルカリ性電解水の一部を前記流量調整弁の上流側で前記排出管路側に分流させる分流管路と、
該分流管路と前記排出管路との間に設けられ前記強アルカリ性電解水が前記分流管路から前記排出管路に向けて流通するのを許し逆向きの流れを阻止する逆止弁と、
該逆止弁よりも上流側に位置して前記分流管路に設けられ前記混合管路から前記分流管路に向けて流れる前記強アルカリ性電解水の流量を絞るオリフィスと、
が設けられ、
該オリフィスと前記逆止弁とは、前記流量調整弁および前記方向切換弁よりも前記ケーシング内の高い位置に配置され、
前記流量調整弁は、流量調整用の操作部が前記ケーシングの外部から操作可能な位置に配設され、
前記方向切換弁は、方向切換用の操作部が前記ケーシングの外部から操作可能な位置に配設される構成としたことを特徴とする電解水の混合装置。
【請求項２】
前記ケーシングは、前記排出管路、混合管路、方向切換弁および流量調整弁が取付けられるベース板と、該ベース板に対して着脱可能に取付けられ前記排出管路、混合管路、方向切換弁および流量調整弁を前記ベース板との間で囲繞するケース体とにより構成してなる請求項１に記載の電解水の混合装置。
【発明の詳細な説明】
【技術分野】
【０００１】
本発明は、強アルカリ性電解水と強酸性電解水とを混合して電解水のＰＨ濃度を調整するに好適に用いられる電解水の混合装置に関する。
【背景技術】
【０００２】
一般に、水道水を軟水化処理した後に電気分解することによって、強アルカリ性電解水と強酸性電解水とを互いに分離して生成する電解水の製造装置、即ち電解水生成装置は知られている（例えば、特許文献１参照）。この種の従来技術による電解水生成装置は、例えば電解質となる添加剤を原水に混ぜることなく電気分解を行うようにした二隔膜三室型電解槽を用いて構成されている。
【先行技術文献】
【特許文献】
【０００３】
【特許文献１】特開２００４−５８００６号公報
【発明の概要】
【発明が解決しようとする課題】
【０００４】
ところで、電解水生成装置により生成された強酸性電解水は、例えば濃度がＰＨ１．９〜２．５となって酸性濃度が強すぎるので、歯科医院等で口腔内のうがい除菌を行う場合には不適である。このため、強酸性電解水を強アルカリ性電解水と混合することにより、ＰＨ濃度が水道水の水質基準内に収まるように調整し、この上で酸性水の除菌力を保持した混合うがい水を生成することが望まれている。
【０００５】
また、農場、ゴルフ場等では、病害防除を目的にして酸性電解水の散布を行なうが、その際にＰＨ１．９〜２．５の強酸性電解水を直に散布すると、酸焼けにより植栽が変色してしまうことがある。このため、強酸性電解水を強アルカリ性電解水と混合し、ＰＨ濃度の調整を行うことが望まれている。
【０００６】
本発明は、上述した問題に鑑みなされたもので、本発明の目的は、強酸性電解水と強アルカリ性電解水とを適宜に混合してＰＨ濃度の調整を容易に行うことができるようにした電解水の混合装置を提供することにある。
【課題を解決するための手段】
【０００７】
上述した課題を解決するために、請求項１の発明は、電解水生成装置により水道水から生成された強アルカリ性電解水と強酸性電解水とを、ケーシング内で混合してＰＨ濃度が調整された混合水を調製する電解水の混合装置において、前記ケーシングには、前記ケーシングの外部に向けて開口し前記電解水生成装置から前記強アルカリ性電解水が供給される第１の供給口と、該第１の供給口とは異なる位置で前記ケーシングの外部に向けて開口し前記電解水生成装置から前記強酸性電解水が供給される第２の供給口と、前記第１の供給口から供給された前記強アルカリ性電解水を前記強酸性電解水と混合させることなく、前記ケーシング外に排出させる排出管路と、前記強アルカリ性電解水を前記強酸性電解水と混合させるための混合管路と、前記第１の供給口からケーシング内に供給された前記強アルカリ性電解水を前記混合管路と前記排出管路とのいずれか一方に選択的に流通させる方向切換弁と、前記第１，第２の供給口から離間して設けられ、前記第１の供給口からケーシング内に導かれた前記強アルカリ性電解水を前記排出管路を介して前記ケーシング外に排出する第１の排出口と、該第１の排出口および前記第１，第２の供給口から離間して設けられ、前記第２の供給口からケーシング内に導かれた前記強酸性電解水または前記強アルカリ性電解水と強酸性電解水との混合水をケーシング外に排出する第２の排出口と、前記方向切換弁の操作により前記混合管路内に流通される前記強アルカリ性電解水の流量を可変に調整し前記強アルカリ性電解水と前記強酸性電解水との混合割合を調節する流量調整弁と、前記流量調整弁よりも上流側で前記混合管路から分岐し、前記第１の供給口から前記方向切換弁を介して前記混合管路に導かれる前記強アルカリ性電解水の一部を前記流量調整弁の上流側で前記排出管路側に分流させる分流管路と、該分流管路と前記排出管路との間に設けられ前記強アルカリ性電解水が前記分流管路から前記排出管路に向けて流通するのを許し逆向きの流れを阻止する逆止弁と、該逆止弁よりも上流側に位置して前記分流管路に設けられ前記混合管路から前記分流管路に向けて流れる前記強アルカリ性電解水の流量を絞るオリフィスと、が設けられ、該オリフィスと前記逆止弁とは、前記流量調整弁および前記方向切換弁よりも前記ケーシング内の高い位置に配置され、前記流量調整弁は、流量調整用の操作部が前記ケーシングの外部から操作可能な位置に配設され、前記方向切換弁は、方向切換用の操作部が前記ケーシングの外部から操作可能な位置に配設される構成としたことを特徴としている。
【０００９】
請求項２の発明によると、前記ケーシングは、前記排出管路、混合管路、方向切換弁および流量調整弁が搭載されるベース板と、該ベース板に対して着脱可能に取付けられ前記排出管路、混合管路、方向切換弁および流量調整弁を前記ベース板との間で囲繞するケース体とにより構成している。
【発明の効果】
【００１０】
請求項１の発明によれば、電解水生成装置から混合装置のケーシング内に供給された強アルカリ性電解水を混合管路と排出管路とのいずれか一方に選択的に流通させるときに、ケーシングの外部から方向切換弁の操作部を簡単に操作することができ、強アルカリ性電解水の流通方向を容易に選択することができる。そして、強アルカリ性電解水を前記混合管路内に流通させる場合には、混合管路の途中に設けた流量調整弁をケーシングの外部から操作することにより、前記強アルカリ性電解水の流量を可変に調整することができ、前記強アルカリ性電解水と強酸性電解水との混合割合を容易に調節することができる。
【００１１】
従って、混合水のＰＨ濃度を調製する場合には、方向切換弁と流量調整弁をケーシングの外部から操作することにより強アルカリ性電解水と強酸性電解水との混合割合を可変に調節することができ、例えば歯科医院等で口腔内のうがい除菌を行うためのうがい水を、水道水の水質基準内に収まるように調製することができると共に、酸性水の除菌力を保持した混合うがい水として簡単で便利に提供することができる。また、農場、ゴルフ場等で用いる散布水についても、強酸性電解水を強アルカリ性電解水と混合してＰＨ濃度の調整を行うことにより、酸焼けによる植栽の変色等を抑えつつ、病害防除を行うことができる。
【００１２】
しかも、請求項１の発明によれば、第１，第２の供給口、第１，第２の排出口、強アルカリ性電解水の排出管路、強酸性電解水に対する強アルカリ性電解水の混合管路、該混合管路と排出管路との間に設けた方向切換弁、混合管路の途中に設けた流量調整弁、強アルカリ性電解水の一部を流量調整弁の上流側で混合管路から排出管路側に分流させる分流管路、該分流管路と排出管路との間に設けられた逆止弁及び該逆止弁よりも上流側に位置して前記分流管路に設けられたオリフィスを、混合装置のケーシング内にコンパクトに収容することができ、混合装置全体を小型化してメンテナンス性を高めることができる。
【００１３】
そして、前記オリフィスと逆止弁とを流量調整弁および方向切換弁よりもケーシング内の高い位置に配置することにより、強アルカリ性電解水中に混入した水素気泡を分流管路に沿ってケーシングの上方へと逃がすことができる。これにより、流量調整弁による流量調整を安定させ、強酸性電解水に対する強アルカリ性電解水の混合性を高めることができ、混合水全体の濃度の均一化を図ることができる。しかも、分流管路の途中に設けたオリフィスは、前記混合管路から分流管路に向けて流れる強アルカリ性電解水の流量を絞り、流量抵抗を与えることにより、流量調整弁での流量調整範囲を広げつつ、その調整作業を容易にして安定化することができる。この結果、混合水のＰＨ濃度を適正に調整した状態で、流量調整に対応した必要濃度の混合水を第２の排出口から取出すことができる。
【００１４】
請求項２の発明によれば、混合装置のケーシングを、ベース板とケース体とにより構成し、ベース板には排出管路、混合管路、方向切換弁および流量調整弁等を搭載する構成としている。このため、ベース板からケース体を取外すことにより、前記ベース板上には排出管路、混合管路、方向切換弁および流量調整弁等を外部に露出させることができ、この状態で混合装置のメンテナンス作業を容易に行うことができる。
【図面の簡単な説明】
【００１５】
【図１】本発明の第１の実施の形態による電解水の混合装置を電解水生成装置との関係で示す全体構成図である。
【図２】第１の実施の形態による電解水の混合装置を示す回路構成図である。
【図３】図２の混合装置を正面側からみた断面図である。
【図４】電解水の混合装置を図３中の矢示IV−IV方向からみた断面図である。
【図５】図３に示すケーシングの分解斜視図である。
【図６】外装ケースをベース板の上方に取外した状態で混合装置を示す図３と同様な断面図である。
【図７】第２の実施の形態による電解水の混合装置を示す回路構成図である。
【発明を実施するための形態】
【００１６】
以下、本発明の実施の形態による電解水の混合装置を、添付図面を参照して詳細に説明する。
【００１７】
ここで、図１ないし図６は本発明の第１の実施の形態を示している。図において、１は水道水から強アルカリ性電解水と強酸性電解水とを生成する電解水生成装置である。該電解水生成装置１は、軟水器と電解装置（いずれも図示せず）を備えている。電解水生成装置１の軟水器には、例えば一般の水道水が外部から供給される。この軟水器は、水道管（図示せず）から供給される水道水を軟水化して前記電解装置に供給する。
【００１８】
電解水生成装置１の電解装置は、例えば電解質となる添加剤を原水とは混ぜることなく、隔膜等で分離した状態で電気分解を行うようにした二隔膜三室型電解槽を用いて構成されている。そして、この電解装置は、前記軟水器から供給される軟水を電気分解することによって、例えばＰＨ１２．５程度の強アルカリ性電解水と、例えばＰＨ１．９〜２．５程度の強酸性電解水を互いに分離して生成する。ここで、添加剤には、例えば塩化カリウム、塩化ナトリウムが使用される。
【００１９】
また、電解水生成装置１は、例えば吐出ポンプ（図示せず）、または水道水の圧力を利用して、一方の吐出口からは強アルカリ性電解水が外部配管２を介して吐出され、他方の吐出口からは他の外部配管３を介して強酸性電解水が吐出される。これらの外部配管２，３は、後述する混合装置４の第１，第２の供給口１１，１２に対して着脱可能に接続されるものである。
【００２０】
４は第１の実施の形態で採用した電解水の混合装置で、該混合装置４は、図５、図６に示すように略四角形の小型箱体からなるケーシング５を備え、該ケーシング５は、ベース板６と、ケース体としての外装ケース７とにより構成されている。ケーシング５は、例えば、左，右方向の寸法が２０ｃｍ、前，後方向の寸法が１２ｃｍ、高さ寸法が１０ｃｍとなっている。
【００２１】
ベース板６は、耐腐食性をもった金属、硬質樹脂等の剛体からなる長方形状の板体を用いて形成されている。ベース板６には、合計５個の貫通穴６Ａ，６Ｂ，６Ｃ，６Ｄ，６Ｅが互いに間隔をあけて穿設されている。図６に示すように、ベース板６には、後述する第１，第２の供給口１１，１２、流通管路１３、第１，第２の排出口１４，１５、三方弁１６、排出管路１７、混合管路１８、ニードル弁１９、分流管路２０、Ｔ型継手２１、接続部２２、逆止弁２３およびオリフィス２４が搭載されている。
【００２２】
図５に示すように、貫通穴６Ａ〜６Ｅのうちベース板６の最も右側寄りに位置する第１の貫通穴６Ａには、後述する第１の排出口１４が抜止め、廻止め状態で取付けられる。ベース板６の最も左側寄りに位置する第２の貫通穴６Ｂには、後述する第２の排出口１５が抜止め、廻止め状態で取付けられる。第１，第２の貫通穴６Ａ，６Ｂ間に位置する第３，第４の貫通穴６Ｃ，６Ｄには、後述する第１，第２の供給口１１，１２がそれぞれ抜止め、廻止め状態で取付けられる。
【００２３】
貫通穴６Ａ〜６Ｅのうちベース板６の最も前側寄りに位置する第５の貫通穴６Ｅは、後述するニードル弁１９の操作部１９Ａをケーシング５の外部から操作できるようにするための開口であり、ニードル弁１９の操作部１９Ａは、第５の貫通穴６Ｅからケーシング５（即ち、ベース板６）の外部に突出して設けられている。第２の供給口１２が取付けられる第４の貫通穴６Ｄは、貫通穴６Ａ〜６Ｅのうちベース板６の最も後側寄りとなる位置に配置されている。第１の供給口１１が取付けられる第３の貫通穴６Ｃは、第２の貫通穴６Ｂと第４の貫通穴６Ｄとの中間（ベース板６の前，後方向および左，右方向で中間）となる位置に配置されている。
【００２４】
ケーシング５の外装ケース７は、ベース板６に対して上側から着脱可能に取付けられ、第１，第２の供給口１１，１２、流通管路１３、第１，第２の排出口１４，１５、三方弁１６、排出管路１７、混合管路１８、ニードル弁１９、分流管路２０、Ｔ型継手２１、接続部２２、逆止弁２３およびオリフィス２４等をベース板６との間で囲繞する中空な箱体として形成されている。中空な外装ケース７は、例えばステンレス板（ＳＵＳ３０４）等の耐腐食性材料を用いて形成された門形状のケース板８と、左，右両側の側板９，１０とにより構成されている。なお、左，右の側板９，１０もケース板８と同様にステンレス板等を用いて形成されている。
【００２５】
門型状のケース板８は、ステンレス等の金属板を図５に示すようにコ字状に折曲げて形成され、互いに長方形状をなして前，後方向で対向した前板部８Ａおよび後板部８Ｂと、これらの板部８Ａ，８Ｂを上端側で連結した長方形状の上板部８Ｃとにより構成されている。ケース板８の左，右両側には、側板９，１０をねじ等で着脱可能に取付けるために複数の取付片８Ｄが形成されている。
【００２６】
また、ケース板８の前板部８Ａと後板部８Ｂには、それぞれの下端側から内向き折曲げられた内側折返し部８Ｅ，８Ｆが形成されている。該内側折返し部８Ｅ，８Ｆは、ベース板６の前，後端側に当接した状態で複数のねじ等を用いて固定される。これにより、ケース板８および左，右の側板９，１０からなる外装ケース７は、図６に示す如くベース板６上に着脱可能に取付けられるものである。さらに、ケース板８の後板部８Ｂには、ケーシング５全体を建物の壁（図示せず）等に掛止めできるようにするため、例えば２個（１個または複数個でもよい）の掛止め用穴８Ｇが穿設されている。
【００２７】
前記各掛止め用穴８Ｇを用いてケーシング５（混合装置４）を、例えば歯科医院等の建物の壁に掛止めする場合、ケース板８の前板部８Ａには、例えば混合装置４の製品名等が表示される。また、後述する第１の排出口１４は、強アルカリ性電解水用の排出口であり、第２の排出口１５は、強酸性電解水または混合水の排出口であることを明示するためのシール表示等を、ケース板８の前板部８Ａにそれぞれ貼付して設ける構成としてもよい。
【００２８】
図５中の左側に位置する側板９には、その中央部よりも下側に位置して円形の貫通穴９Ａ（図６中に点線で図示）が穿設されている。この貫通穴９Ａは、後述する三方弁１６の操作部１６Ａをケーシング５の外部から操作できるようにするための開口であり、三方弁１６の操作部１６Ａは、側板９の貫通穴９Ａからケーシング５の外部に突出して設けられている。
【００２９】
１１は混合装置４のケーシング５に設けられた第１の供給口で、該第１の供給口１１は、図３に示すように、ケーシング５のベース板６（即ち、図５に示す貫通穴６Ｃ）に抜止め、廻止め状態で取付けられている。第１の供給口１１は、ケーシング５の下方へと外部に向けて開口し、その開口（突出）端には外部配管２が着脱可能に接続される。これにより、第１の供給口１１には、電解水生成装置１から外部配管２を介して前記強アルカリ性電解水が供給される。
【００３０】
第１の供給口１１は、ケーシング５内の供給管路１１Ａを介して後述する三方弁１６の流入ポート１６Ｂ側に接続されている。供給管路１１Ａは、強酸性水および強アルカリ性水に対して十分な耐蝕性をもった樹脂材料からなる管継手により構成され、ケーシング５内の予め決められた位置に三方弁１６を位置決めしている。即ち、後述の三方弁１６は、ベース板６上で第１の供給口１１および供給管路１１Ａを介して予め決められた高さ位置に設置されている。
【００３１】
１２は第１の供給口１１とは左，右方向に離間してケーシング５に設けられた第２の供給口である。該第２の供給口１２は、ベース板６の貫通穴６Ｄに抜止め、廻止め状態で取付けられている。第２の供給口１２は、ケーシング５の下方へと外部に向けて開口し、その開口（突出）端には外部配管３が着脱可能に接続される。これにより、第２の供給口１２には、電解水生成装置１から外部配管３を介して前記強酸性電解水が供給される。第２の供給口１２は、ケーシング５内の流通管路１３を介して後述する第２の排出口１５に接続されている。
【００３２】
流通管路１３は、強酸性水および強アルカリ性水に対して十分な耐蝕性をもった樹脂材料からなる可撓性ホース等を用いて構成され、ケーシング５内で第２の供給口１２と第２の排出口１５との間を接続している。図３、図４に示す如く、第２の排出口１５の上方位置では、流通管路１３の先端部１３Ａが後述する混合管路１８の先端部１８Ａとケーシング５の前，後方向で水平対向するように配置されている。
【００３３】
１４は第１，第２の供給口１１，１２から離間してケーシング５に設けられた第１の排出口である。該第１の排出口１４は、ケーシング５のベース板６（即ち、図５に示す貫通穴６Ａ）に抜止め、廻止め状態で取付けられている。第１の排出口１４は、ケーシング５の下方へと外部に向けて開口し、後述の排出管路１７内を流通する強アルカリ性電解水をケーシング５の外部に排出する。第１の排出口１４は、第１の供給口１１からケーシング５内に三方弁１６および排出管路１７を介して導かれた強アルカリ性電解水をそのままのＰＨ濃度（例えば、ＰＨ１２．５）でケーシング５外に排出するものである。
【００３４】
１５は第１，第２の供給口１１，１２および第１の排出口１４から離間してケーシング５に設けられた第２の排出口である。該第２の排出口１５は、ケーシング５のベース板６（即ち、図５に示す貫通穴６Ｂ）に抜止め、廻止め状態で取付けられている。第２の排出口１５は、第２の供給口１２からケーシング５内に流通管路１３を介して導かれた強酸性電解水または混合水（即ち、強アルカリ性電解水と強酸性電解水との混合水）をケーシング５外に排出するものである。
【００３５】
１６は流入側が第１の供給口１１に供給管路１１Ａを介して接続された方向切換弁としての三方弁である。この三方弁１６は、操作レバー等の操作部１６Ａをケーシング５の外部から手動操作することにより、後述の排出管路１７と混合管路１８とのいずれか一方に強アルカリ性電解水を選択的に流通させる流通方向の選択弁を構成している。即ち、三方弁１６は、流入ポート１６Ｂと２つの流出ポート１６Ｃ，１６Ｄとを有し、操作部１６Ａの回動操作により流出ポート１６Ｃ，１６Ｄのいずれか一方に流入ポート１６Ｂが接続される。
【００３６】
三方弁１６の流入ポート１６Ｂが一方の流出ポート１６Ｃに接続されたときには、第１の供給口１１から供給された強アルカリ性電解水が、そのまま排出管路１７を介して第１の排出口１４から外部に排出される。これに対して、三方弁１６の流入ポート１６Ｂが他方の流出ポート１６Ｄに接続されたときには、第１の供給口１１から供給された強アルカリ性電解水は、後述の混合管路１８に向けて流通されるものである。
【００３７】
ここで、三方弁１６は、図４に示すように、ケーシング５内で側板９の内側面に近接した位置に配設され、側板９に沿って前，後方向に平行に延びている。そして、三方弁１６の操作部１６Ａは、側板９の貫通穴９Ａからケーシング５の外部に突出して設けられている。三方弁１６は、ベース板６上でケーシング５内の予め決められた高さ位置（供給口１１，１２の開口端、排出口１４，１５の開口端よりも高く、流通管路１３の先端部１３Ａおよび混合管路１８の先端部１８Ａよりも低い位置）に配置されている。
【００３８】
１７は三方弁１６の流出ポート１６Ｃに接続してケーシング５内に設けられた排出管路である。該排出管路１７は、強酸性水および強アルカリ性水に対して十分な耐蝕性をもった樹脂材料からなる可撓性ホースとして形成されている。そして、排出管路１７は、第１の供給口１１から三方弁１６の流出ポート１６Ｃを介して供給された強アルカリ性電解水を、強酸性電解水と混合させることなく、ケーシング５外に排出させるため、その先端側がケーシング５内で第１の排出口１４に接続されている。
【００３９】
１８は三方弁１６の流出ポート１６Ｄに接続してケーシング５内に設けられた混合管路である。該混合管路１８は、その大部分が排出管路１７と同様に可撓性ホースを用いて形成されている。そして、混合管路１８は、強アルカリ性電解水を強酸性電解水と混合させるため、その先端部１８Ａ側が強酸性電解水の流通管路１３にケーシング５内で接続されている。混合管路１８は、内部を流れる強アルカリ性電解水を流通管路１３内の強酸性電解水に向けて衝突させるように流通させ、これにより、２つの電解水を互いに混合させるものである。
【００４０】
特に、図４に示すように、混合管路１８の先端部１８Ａは、第２の排出口１５の上端側（流入側）を挟んで流通管路１３の先端部１３Ａとケーシング５の前，後方向で水平対向するように配置されている。このため、混合管路１８内の強アルカリ性電解水と流通管路１３内の強酸性電解水とは正面衝突するように混合され、両者は均一に混合した状態で第２の排出口１５からケーシング５外に排出されるものである。
【００４１】
１９は混合管路１８の途中に位置してケーシング５内に設けられた流量調整弁としてのニードル弁である。このニードル弁１９は、三方弁１６を介して混合管路１８内に流通される強アルカリ性電解水の流量を可変に調整し、強アルカリ性電解水と強酸性電解水との混合割合を調節するものである。
【００４２】
ニードル弁１９は、流量調整用の操作部１９Ａを下向きにした状態でベース板６に搭載して取付けられ、ケーシング５内で三方弁１６とほぼ同等な高さ位置に設置されている。ニードル弁１９の操作部１９Ａは、ベース板６の貫通穴６Ｅを介してケーシング５の外部へと下方に突出し、外部から操作可能な位置に配設されている。換言すると、ニードル弁１９は、流量調整用の操作部１９Ａを三方弁１６の操作部１６Ａとは異なる位置でケーシング５の外部から操作できるように配設されている。
【００４３】
２０はニードル弁１９の上流側で混合管路１８から分岐してケーシング５内に設けられた分流管路である。該分流管路２０は、チーズと呼ばれるＴ型継手２１を用いて混合管路１８の途中部位から分岐されている。分流管路２０は、三方弁１６を介して混合管路１８に導かれる強アルカリ性電解水の一部をニードル弁１９の上流側で排出管路１７の下流側に向けて分流させる管路である。分流管路２０は、その先端側が接続部２２の位置で排出管路１７と接続されている。この接続部２２は、例えばＴ字状の継手部材等を用いて構成され、図３に示すように、第１の排出口１４の上方位置に設置されている。分流管路２０は、その大部分が排出管路１７と同様に可撓性ホースを用いて形成されている。
【００４４】
２３は分流管路２０の途中に設けられた逆止弁で、該逆止弁２３は、前記強アルカリ性電解水が分流管路２０から排出管路１７（接続部２２）に向けて流通するのを許し、逆向きの流れを阻止するために分流管路２０と排出管路１７との間に設けらている。即ち、逆止弁２３は、排出管路１７を流れる強アルカリ性電解水が分流管路２０内に向けて流入（逆流）するのを阻止するものである。
【００４５】
２４は逆止弁２３よりも上流側に位置して分流管路２０に設けられたオリフィスで、該オリフィス２４は、Ｔ型継手２１と逆止弁２３との間に配置され、混合管路１８から分流管路２０に分岐して流れる強アルカリ性電解水に抵抗を与えて流量の絞り作用を行うものである。このため、混合管路１８内を流れる強アルカリ性電解水は、ニードル弁１９を介して先端部１８Ａ（下流側）に優先的に供給され、ニードル弁１９の上流側で余剰となった強アルカリ性電解水のみが分流管路２０内へと導かれるようになる。
【００４６】
図３に示すように、分流管路２０の途中に設けた逆止弁２３とオリフィス２４とは、ケーシング５内で三方弁１６およびニードル弁１９よりも高い位置に配置されている。即ち、逆止弁２３とオリフィス２４とは、分流管路２０の先端側を排出管路１７と接続する継手としての接続部２２よりも高い位置に配置され、この接続部２２は、ケーシング５内で三方弁１６およびニードル弁１９よりも高い位置に配置されている。
【００４７】
第１の実施の形態による電解水の混合装置４は、上述の如き構成を有するものであり、次にその作動について説明する。
【００４８】
まず、電解水の混合装置４は、電解水生成装置１から必要に応じて離れた位置に設置され、混合装置４の第１，第２の供給口１１，１２は、外部配管２，３を介して電解水生成装置１に接続される。そして、壁掛け式の混合装置４として用いる場合には、ケーシング５（外装ケース７）の後板部８Ｂに一対の掛止め用穴８Ｇを設けているので、これにより、例えば歯科医院の壁（図示せず）等に混合装置４全体を掛止めしておくことができ、このような壁掛け状態で混合装置４を用いて電解水の混合動作を下記のように行うことができる。
【００４９】
ここで、電解水生成装置１は、例えば水道水を電気分解することによって例えばＰＨ１２．５程度の強アルカリ性電解水と、ＰＨ１．９〜２．５程度の強酸性電解水を互いに分離して生成する。これらの強アルカリ性電解水と強酸性電解水は、電解水生成装置１の前記各ポンプ、または水道圧力により外部配管２，３を介して混合装置４の第１，第２の供給口１１，１２に向け吐出される。
【００５０】
これにより、混合装置４の第１の供給口１１には、電解水生成装置１から外部配管２を介して前記強アルカリ性電解水が供給され、第２の供給口１２には、電解水生成装置１から外部配管３を介して前記強酸性電解水が供給される。第１の供給口１１には、ケーシング５内で供給管路１１Ａを介して三方弁１６の流入ポート１６Ｂが接続されている。そして、三方弁１６は、操作レバー等の操作部１６Ａをケーシング５の外部から手動操作することにより、第１の供給口１１からの強アルカリ性電解水を排出管路１７と混合管路１８とのいずれか一方に選択的に流通させる。
【００５１】
三方弁１６の選択操作により強アルカリ性電解水を排出管路１７側に流通させた場合には、第１の供給口１１からケーシング５内に導かれた強アルカリ性電解水を、そのままのＰＨ濃度（例えば、ＰＨ１２．５）で第１の排出口１４からケーシング５外に排出することができる。この強アルカリ性電解水は、例えば歯科医院、病院等において治療器具の洗浄作業、院内の清掃等に好適に用いられる。また、ゴルフ場、農場等では、植物の成長促進を目的とした散布水として用いられるものである。
【００５２】
一方、第２の供給口１１からケーシング５内に流通管路１３を介して導かれた強酸性電解水は、そのままのＰＨ濃度（例えば、ＰＨ１．９〜２．５）で第２の排出口１５からケーシング５外に排出することができる。この強酸性電解水は、例えば歯科医院では口腔内傷口の除菌、治療器具の除菌等に用いられる。また、ゴルフ場、農場等では、強酸性電解水を病原菌、ウイルスの防除、病気の予防を目的に散布することができる。
【００５３】
次に、三方弁１６の操作部１６Ａをケーシング５の外部から操作して、三方弁１６の流入ポート１６Ｂを他方の流出ポート１６Ｄに接続した場合には、第１の供給口１１から供給された強アルカリ性電解水は、混合管路１８に向けて流通され、ニードル弁１９の位置へと導くことができる。ニードル弁１９の操作部１９Ａをケーシング５の外部から手動操作することにより、混合管路１８の先端部１８Ａ側へと流通する強アルカリ性電解水の流量を適宜に調整することができる。
【００５４】
ケーシング５のベース板６には、貫通穴６Ｅ（図５参照）の周囲に目盛り等の識別表示を形成しておくことにより、ニードル弁１９の操作部１９Ａをどの程度回動操作するかを、ケーシング５（ベース板６）の外部から判断しながら調節することができる。混合管路１８を介してニードル弁１９の上流側に導かれる強アルカリ性電解水の流量をＱとし、調整比率ｋ（例えば、０．１≦ｋ≦１．０）とすると、調整流量（ｋ×Ｑ）分の強アルカリ性電解水がニードル弁１９の下流側（混合管路１８の先端部１８Ａ）側に供給される。
【００５５】
このとき、残余流量〔（１−ｋ）×Ｑ〕分の強アルカリ性電解水が余剰水となってＴ型継手２１を介して分流管路２０側に分流される。分流管路２０の途中に設けたオリフィス２４は、ニードル弁１９の上流側で余剰となった強アルカリ性電解水に絞り作用を与える。このため、混合管路１８内を流れる流量Ｑの強アルカリ性電解水のうち、調整流量（ｋ×Ｑ）分の強アルカリ性電解水をニードル弁１９を介して先端部１８Ａ（下流側）に優先的に安定して供給することができ、ニードル弁１９の上流側で余剰となった残余流量〔（１−ｋ）×Ｑ〕分の強アルカリ性電解水のみを分流管路２０へと導くことができる。
【００５６】
分流管路２０に導かれた強アルカリ性電解水の余剰水は、逆止弁２３を介して接続部２２から排出管路１７へと流れ、第１の排出口１４から排出される。このとき、逆止弁２３は、排出管路１７を流れる強アルカリ性電解水が分流管路２０内に向けて逆流（流入）するのを阻止する。一方、混合管路１８内を先端部１８Ａ（下流側）に向けて流れる調整流量（ｋ×Ｑ）分の強アルカリ性電解水は、流通管路１３内の強酸性電解水と衝突するようにして混合される。これにより、第２の排出口１５からは、２つの電解水を互いに混合させた混合水、即ちＰＨ濃度が調整された混合水を排出することができる。
【００５７】
特に、第１の実施の形態によれば、図４に示すように、混合管路１８の先端部１８Ａは、第２の排出口１５の上端側（流入側）を挟んで流通管路１３の先端部１３Ａとケーシング５の前，後方向で水平対向するように配置されている。このため、混合管路１８内の強アルカリ性電解水と流通管路１３内の強酸性電解水とを正面衝突するように混合することができ、ＰＨ濃度が均一に調整された混合水を第２の排出口１５からケーシング５外へと排出することができる。
【００５８】
このとき、ＰＨ濃度の調整は、ニードル弁１９の操作部１９Ａをケーシング５の外部から回動操作することにより適宜に行うことができる。即ち、ニードル弁１９の弁開度を大きくし、強アルカリ性電解水の調整流量（ｋ×Ｑ）を大きくすれば、流通管路１３内の強酸性電解水に対する強アルカリ性電解水の混合割合を高めることができ、例えばＰＨ９．５程度の濃度をもったアルカリ性の混合水を第２の排出口１５からケーシング５外へと排出するように取出すことができる。
【００５９】
一方、ニードル弁１９の弁開度が小さくなるように、強アルカリ性電解水の調整流量（ｋ×Ｑ）を小さく、即ち調整比率ｋ（０．１≦ｋ≦１．０）が小さくなるように操作部１９Ａを回動操作すれば、流通管路１３内の強酸性電解水に対する強アルカリ性電解水の混合割合を下げることができ、例えばＰＨ３〜４程度の濃度をもった酸性の混合水を第２の排出口１５からケーシング５外へと排出するように取出すことができる。この場合の濃度調節は、例えば０．１単位のＰＨ濃度の調節も可能となるが、通常は目標濃度に対して、例えば０．２単位くらいの調節代で混合水のＰＨ濃度（混合割合）を調節すればよい。
【００６０】
即ち、強酸性電解水に対する強アルカリ性電解水の流量比を、ほぼ１対１とすればＰＨ６．３〜７．０となる中性または中性に近い混合水を調製でき、強アルカリ性電解水の流量比を漸次高めることにより、例えばＰＨ７．２以上のアルカリ性混合水を調製することができる。一方、強酸性電解水に対する強アルカリ性電解水の流量比を、１対１から漸次下げてゆくことにより、例えばＰＨ６．３〜６．８以下の酸性混合水を調製することができる。
【００６１】
下記の表１は、強酸性電解水（原水）に対して強アルカリ性電解水（混合液）を混合した場合のＰＨ濃度と有効塩素濃度との関係を示している。ここで、強酸性電解水は、ＰＨ１．９で、有効塩素濃度が９６ｐｐｍである。強アルカリ性電解水は、ＰＨ１２．５で、有効塩素濃度が０ｐｐｍである。一方、下記の表２には、強酸性電解水（原水）に対して水道水（混合液）を混合した場合のＰＨ濃度と有効塩素濃度との関係を示している。この場合も、強酸性電解水は、ＰＨ１．９で、有効塩素濃度が９６ｐｐｍであり、水道水は、ＰＨ６．８で、有効塩素濃度が０ｐｐｍである。
【００６２】
【表１】
0006028303.tif 000002
【００６３】
【表２】
0006028303.tif 000003
【００６４】
上記の表１，２からも明らかなように、強酸性電解水のＰＨ濃度を調整（コントロール）するには、混合液として強アルカリ性電解水を用いて混合することにより、水道水で混合する場合に比較してＰＨ濃度の調整が容易にできることが確認される。また、同じＰＨ濃度（例えば、ＰＨ２．３)で比較した場合に、有効塩素濃度は、混合液として強アルカリ性電解水を用いた方が、水道水を用いたものに比較して、１．６７倍の濃度が保持できるため、殺菌効果を維持した中和水を容易に作ることができる。
【００６５】
かくして、第１の実施の形態によれば、電解水生成装置１から混合装置４のケーシング５内に供給された強アルカリ性電解水を排出管路１７と混合管路１８とのいずれか一方に選択的に流通させるときに、ケーシング５の外部から三方弁１６の操作部１６Ａを簡単に操作することができ、強アルカリ性電解水の流通方向を容易に選択することができる。
【００６６】
そして、強アルカリ性電解水を混合管路１８内に流通させる場合には、混合管路１８の途中に設けたニードル弁１９をケーシング５の外部から操作することにより、前記強アルカリ性電解水の流量を可変に調整することができ、前記強アルカリ性電解水と強酸性電解水との混合割合を容易に調節することができる。
【００６７】
従って、混合水のＰＨ濃度を調製する場合には、三方弁１６とニードル弁１９をケーシング５の外部から操作することにより強アルカリ性電解水と強酸性電解水との混合割合を可変に調節することができ、例えば歯科医院等で口腔内のうがい除菌を行うためのうがい水を、水道水の水質基準内に収まるように調製することができると共に、酸性水の除菌力を保持した混合うがい水として簡単便利に提供することができる。また、農場、ゴルフ場等で用いる散布水についても、強酸性電解水を強アルカリ性電解水と混合してＰＨ濃度の調整を行うことにより、酸焼けによる植栽の変色等を抑えつつ、病害防除を行うことができる。
【００６８】
また、第１の実施の形態によれば、第１，第２の供給口１１，１２、第１，第２の排出口１４，１５、三方弁１６、強アルカリ性電解水の排出管路１７、強酸性電解水に対する強アルカリ性電解水の混合管路１８、混合管路１８の途中に設けたニードル弁１９、強アルカリ性電解水の一部をニードル弁１９の上流側で混合管路１８から排出管路１７側に分流させる分流管路２０、該分流管路２０の途中に設けられた逆止弁２３およびオリフィス２４を、ケーシング５内にコンパクトに収容して配置することができ、混合装置４全体を小型化してメンテナンス性を高めることができる。
【００６９】
そして、前記逆止弁２３とオリフィス２４とをニードル弁１９および三方弁１６よりもケーシング５内の高い位置に配置することにより、強アルカリ性電解水中に混入した水素気泡を分流管路２０に沿ってケーシング５の上方位置へと逃がすことができる。これにより、ニードル弁１９による流量調整を安定させ、強酸性電解水に対する強アルカリ性電解水の混合性を高めることができ、混合水全体の濃度の均一化を図ることができる。
【００７０】
しかも、分流管路２０の途中に設けたオリフィスは、混合管路１８から分流管路２０に向けて流れる強アルカリ性電解水の流量を絞り、流動抵抗を与えることにより、ニードル弁１９での流量調整範囲を広げつつ、その調整作業を容易にして安定化することができる。この結果、混合水のＰＨ濃度を適正に調整した状態で、ニードル弁１９での流量調整に対応した必要濃度の混合水を第２の排出口１５から取出すことができる。
【００７１】
さらに、第１の実施の形態によれば、混合装置４のケーシング５を、ベース板６と外装ケース７とにより構成し、ベース板６には第１，第２の供給口１１，１２、流通管路１３、第１，第２の排出口１４，１５、三方弁１６、排出管路１７、混合管路１８、ニードル弁１９、分流管路２０、Ｔ型継手２１、接続部２２、逆止弁２３およびオリフィス２４等の構成部品を搭載する構成としている。
【００７２】
このため、図６に示すように、ベース板６から外装ケース７を取外すことにより、ベース板６上には前述した各構成部品（例えば、流通管路１３、三方弁１６、排出管路１７、混合管路１８、ニードル弁１９、分流管路２０、Ｔ型継手２１、接続部２２、逆止弁２３およびオリフィス２４）等を外部に露出させることができ、この状態で混合装置４のメンテナンス作業を容易に行うことができる。
【００７３】
次に、図７は本発明の第２の実施の形態を示している。本実施の形態では、第１の実施の形態と同一の構成要素に同一の符号を付し、その説明を省略するものとする。しかし、第２の実施の形態では、後述のケーシング３０に対して、第１，第２の排出口３４，３５を上側に開口させ、第１，第２の供給口３１，３２を下側に向けて開口させる構成としている。
【００７４】
図中、３０は第２の実施の形態で採用した混合装置４のケーシングで、該ケーシング３０は、第１の実施の形態で述べたケーシング５とほぼ同様に構成され、ベース板に対してケース体（いずれも図示せず）が着脱可能に取付けられている。しかし、この場合のケーシング３０は、後述する第１，第２の供給口３１，３２および第１，第２の排出口３４，３５等の取付位置が異なっている。
【００７５】
３１は混合装置４のケーシング３０に設けられた第１の供給口で、該第１の供給口３１は、第１の実施の形態で述べた第１の供給口１１とほぼ同様に構成され、ケーシング３０の下方へと外部に向けて開口している。第１の供給口３１の開口（突出）端には、外部配管２が着脱可能に接続され、第１の供給口３１には、電解水生成装置１から外部配管２を介して前記強アルカリ性電解水が供給される。第１の供給口３１は、ケーシング３０内の供給管路３１Ａを介して後述する三方弁３６の流入ポート３６Ｂ側に接続されている。
【００７６】
３２は第１の供給口３１とは左，右方向に離間してケーシング３０に設けられた第２の供給口である。該第２の供給口３２は、第１の実施の形態で述べた第２の供給口１２とほぼ同様に構成され、ケーシング３０の下方へと外部に向けて開口している。第２の供給口３２の開口（突出）端には、外部配管３が着脱可能に接続され、第２の供給口３２は、ケーシング３０内の流通管路３３を介して後述する第２の排出口３５に接続されている。流通管路３３は、第１の実施の形態で述べた流通管路１３とほぼ同様に構成され、ケーシング３０内で第２の供給口３２と第２の排出口３５との間を接続している。
【００７７】
３４は第１，第２の供給口３１，３２から離間してケーシング３０に設けられた第１の排出口である。該第１の排出口３４は、第１の実施の形態で述べた第１の排出口１４とほぼ同様に構成され、後述の排出管路３７内を流通する強アルカリ性電解水をケーシング３０の外部に排出するものである。しかし、第１の排出口３４は、ケーシング３０の上方へと外部に向けて開口している点で、第１の実施の形態とは異なっている。
【００７８】
３５は第１，第２の供給口３１，３２および第１の排出口３４から離間してケーシング３０に設けられた第２の排出口である。該第２の排出口３５は、第１の実施の形態で述べた第２の排出口１５とほぼ同様に構成され、第２の供給口１２からケーシング３０内に流通管路３３を介して導かれた強酸性電解水または前記強アルカリ性電解水と強酸性電解水との混合水をケーシング３０外に排出するものである。しかし、第２の排出口３５は、ケーシング３０の上方へと外部に向けて開口している点で、第１の実施の形態とは異なっている。
【００７９】
３６は流入側が第１の供給口３１に供給管路３１Ａを介して接続された方向切換弁としての三方弁である。この三方弁３６は、第１の実施の形態で述べた三方弁１６と同様に構成され、操作レバー等の操作部３６Ａをケーシング３０の外部から手動操作することにより、後述の排出管路３７と混合管路３８とのいずれか一方に強アルカリ性電解水を選択的に流通させるものである。
【００８０】
この場合、三方弁３６の操作部３６Ａは、例えばケーシング３０の前面側から外部に突出する構成としてもよく、左，右方向の一方の側面からケーシング３０外に突出する構成であってもよい。また、三方弁３６は、流入ポート３６Ｂと２つの流出ポート３６Ｃ，３６Ｄとを有し、操作部３６Ａの回動操作により流出ポート３６Ｃ，３６Ｄのいずれか一方に流入ポート３６Ｂが接続される。
【００８１】
３７は三方弁３６の流出ポート３６Ｃに接続してケーシング３０内に設けられた排出管路である。該排出管路３７は、第１の実施の形態で述べた排出管路１７とほぼ同様に構成されている。そして、排出管路３７は、第１の供給口３１から三方弁３６の流出ポート３６Ｃを介して供給された強アルカリ性電解水を、強酸性電解水と混合させることなく、ケーシング３０外に排出させるため、その先端側がケーシング３０内で第１の排出口３４に接続されている。
【００８２】
３８は三方弁３６の流出ポート３６Ｄに接続してケーシング３０内に設けられた混合管路である。該混合管路３８は、第１の実施の形態で述べた混合管路１８とほぼ同様に構成されている。そして、混合管路３８は、強アルカリ性電解水を強酸性電解水と混合させるため、その先端部３８Ａ側が強酸性電解水の流通管路３３にケーシング３０内で接続されている。混合管路３８は、内部を流れる強アルカリ性電解水を流通管路３３内の強酸性電解水に向けて衝突させるように流通させ、これにより、２つの電解水を互いに混合させるものである。
【００８３】
３９は混合管路３８の途中に位置してケーシング３０内に設けられた流量調整弁としてのニードル弁である。このニードル弁３９は、第１の実施の形態で述べたニードル弁１９とほぼ同様に構成され、三方弁３６を介して混合管路３８内に流通される強アルカリ性電解水の流量を可変に調整し、強アルカリ性電解水と強酸性電解水との混合割合を調節するものである。
【００８４】
ニードル弁３９は、流量調整用の操作部３９Ａをケーシング３０の外部に突出させた状態で取付けられ、ケーシング３０内で三方弁３６とほぼ同等な高さ位置に設置されている。ニードル弁３９の操作部３９Ａは、例えばケーシング３０の前面側から外部に突出する構成としてもよく、左，右方向の一方の側面からケーシング３０外に突出する構成であってもよい。
【００８５】
４０はニードル弁３９の上流側で混合管路３８から分岐してケーシング３０内に設けられた分流管路である。該分流管路４０は、第１の実施の形態で述べた分流管路２０とほぼ同様に構成され、チーズと呼ばれるＴ型継手４１を用いて混合管路３８の途中部位から分岐されている。分流管路４０は、三方弁３６を介して混合管路３８に導かれる強アルカリ性電解水の一部をニードル弁３９の上流側で排出管路３７の下流側に向けて分流させる管路である。分流管路４０は、その先端側が接続部４２の位置で排出管路３７と接続されている。この接続部４２は、例えばＴ字状の継手部材等を用いて構成されている。
【００８６】
４３は分流管路４０の途中に設けられた逆止弁で、該逆止弁４３は、第１の実施の形態で述べた逆止弁２３とほぼ同様に構成され、前記強アルカリ性電解水が分流管路４０から排出管路３７（接続部４２）に向けて流通するのを許し、逆向きの流れを阻止するために分流管路４０と排出管路３７との間に設けらている。
【００８７】
４４は逆止弁４３よりも上流側に位置して分流管路４０に設けられたオリフィスで、該オリフィス４４は、第１の実施の形態で述べたオリフィス２４とほぼ同様に構成され、混合管路３８から分流管路４０に分岐して流れる強アルカリ性電解水に抵抗を与えて流量の絞り作用を行うものである。オリフィス４４と逆止弁４３とは、三方弁３６およびニードル弁３９よりもケーシング３０内の高い位置に配置されている。
【００８８】
かくして、このように構成される第２の実施の形態でも、三方弁３６の操作部３６Ａをケーシング３０の外部から操作可能な位置に配設することができ、ニードル弁３９は、流量調整用の操作部３９Ａを前記操作部３６Ａとは異なる位置でケーシング３０の外部から操作可能な位置に配設することができる。そして、混合水のＰＨ濃度を調製する場合に、三方弁３６とニードル弁３９をケーシング５の外部から操作することにより強アルカリ性電解水と強酸性電解水との混合割合を可変に調節することができ、第１の実施の形態とほぼ同様な効果を奏することができる。
【００８９】
なお、前記各実施の形態では、電解水生成装置１を二隔膜三室型電解槽を用いて構成する場合を例に挙げて説明した。しかし、電解水生成装置は、必ずしも三室型電解槽を用いて構成する必要はなく、例えば二室型電解槽を用いて構成してもよい。また、電解質は塩化カリウムに限らず、例えば塩化ナトリウム、塩化マグネシウム、塩化カルシウム等で構成してもよい。
【００９０】
また、前記第１の実施の形態では、混合装置４を壁掛け式の装置として用いる場合を例に挙げて説明した。しかし、本発明はこれに限るものではなく、例えばテーブル等の載置台に混合装置のケーシングを載置して設ける構成としてもよい。この点は、第２の実施の形態で述べたケーシング３０についても同様である。
【符号の説明】
【００９１】
１  電解水生成装置
４  混合装置
５，３０  ケーシング
６  ベース板
７  外装ケース（ケース体）
１１，３１  第１の供給口
１２，３２  第２の供給口
１３，３３  流通管路
１４，３４  第１の排出口
１５，３５  第２の排出口
１６，３６  三方弁（方向切換弁）
１７，３７  排出管路
１８，３８  混合管路
１９，３９  ニードル弁（流量調整弁）
２０，４０  分流管路
２２，４２  接続部
２３，４３  逆止弁
２４，４４  オリフィス
【図１】
0006028303.tif 000004
【図２】
0006028303.tif 000005
【図３】
0006028303.tif 000006
【図４】
0006028303.tif 000007
【図５】
0006028303.tif 000008
【図６】
0006028303.tif 000009
【図７】
0006028303.tif 000010